(57)【要約】【課題】非ライセンス帯域において基地局装置が送信した参照信号を適切に測定すること。【解決手段】基地局装置は、別の基地局装置から、その別の基地局装置によって送信される参照信号に関して、情報を取得し、取得した情報を、基地局装置と接続している端末へ通知する。端末は、通知された情報に基づいて、別の基地局装置が送信した参照信号の測定を制御する。【選択図】  図７
2017034407.tif 000002
【特許請求の範囲】
【請求項１】
基地局装置であって、
他の基地局装置から、当該他の基地局装置によって送信される参照信号に関して、情報を取得する取得手段と、
取得した前記情報を、前記基地局装置と接続している端末へ通知する通知手段と、
を有し、
前記端末は、通知された前記情報に基づいて、前記他の基地局装置が送信した参照信号の測定を制御する、
ことを特徴とする基地局装置。
【請求項２】
前記情報は、前記他の基地局装置が前記参照信号の送信を終了する時刻に関する情報を含む、
ことを特徴とする請求項１に記載の基地局装置。
【請求項３】
前記通知手段は、前記他の基地局装置が前記参照信号の送信を開始した後に、前記情報を前記端末へ通知する、
ことを特徴とする請求項１又は２に記載の基地局装置。
【請求項４】
前記情報は、前記他の基地局装置が前記参照信号の送信を予定していたにも関わらず、当該参照信号の送信が行われなかった場合に、当該参照信号が実際には送信されなかったことを示す情報を含み、
前記端末は、実際には送信されなかったことが示された前記参照信号に関して行った前記測定の結果を破棄または無視することが可能である、
ことを特徴とする請求項１に記載の基地局装置。
【請求項５】
前記通知手段は、さらに、前記他の基地局装置が前記参照信号の送信を開始する前に、前記他の基地局装置による前記参照信号の送信の予定を前記端末へ通知する、
ことを特徴とする請求項４に記載の基地局装置。
【請求項６】
前記通知手段は、前記他の基地局装置による前記参照信号の送信の複数の予定を前記端末へ通知し、
前記情報は、前記複数の予定のうち、前記参照信号の送信が実際には行われなかったものを指定する情報を含む、
ことを特徴とする請求項５に記載の基地局装置。
【請求項７】
前記通知手段は、制御チャネルを用いて前記情報を前記端末へ通知する、
ことを特徴とする請求項１から６のいずれか１項に記載の基地局装置。
【請求項８】
前記通知手段は、データチャネルを用いて前記情報を前記端末へ通知する、
ことを特徴とする請求項１から６のいずれか１項に記載の基地局装置。
【請求項９】
前記通知手段は、ブロードキャストチャネルを用いて前記情報を前記端末へ通知する、
ことを特徴とする請求項１から６のいずれか１項に記載の基地局装置。
【請求項１０】
前記通知手段は、ブロードキャストチャネルを用いて前記情報を前記端末へ通知し、
前記通知手段は、前記参照信号が実際には送信されなかったことを示す前記情報を通知する場合、前記ブロードキャストチャネルの送信間隔を短縮する、
ことを特徴とする請求項４から６のいずれか１項に記載の基地局装置。
【請求項１１】
前記取得手段は、前記基地局装置と前記他の基地局装置との間の基地局間通信により、前記情報を取得する、
ことを特徴とする請求項１から１０のいずれか１項に記載の基地局装置。
【請求項１２】
前記端末は、第１の基地局装置および第２の基地局装置と接続しており、
前記第２の基地局装置は、前記第１の基地局装置の補助を受けて前記端末と接続し、
前記基地局装置は、前記第１の基地局装置である、
ことを特徴とする請求項１から１１のいずれか１項に記載の基地局装置。
【請求項１３】
前記端末は、第１の基地局装置および第２の基地局装置と接続しており、
前記第２の基地局装置は、前記第１の基地局装置の補助を受けて前記端末と接続し、
前記基地局装置は、前記第２の基地局装置である、
ことを特徴とする請求項１から１１のいずれか１項に記載の基地局装置。
【請求項１４】
基地局装置の制御方法であって、
取得手段が、他の基地局装置から、当該他の基地局装置が送信する参照信号に関する情報を取得する取得工程と、
通知手段が、取得した前記情報を、前記基地局装置と接続している端末へ通知する通知工程と、
を有し、
前記端末は、通知された前記情報に基づいて、前記他の基地局装置が送信した参照信号の測定を行う、
ことを特徴とする制御方法。
【請求項１５】
基地局装置に備えられたコンピュータに、
他の基地局装置から、当該他の基地局装置が送信する参照信号に関する情報を取得する取得工程と、
取得した前記情報を、前記基地局装置と接続している端末へ通知する通知工程と、
を実行させるためのプログラムであって、
前記端末は、通知された前記情報に基づいて、前記他の基地局装置が送信した参照信号の測定を行う、
ことを特徴とするプログラム。
【発明の詳細な説明】
【技術分野】
【０００１】
本発明は、無線通信における参照信号の観測手順に関する。
【背景技術】
【０００２】
第３世代パートナーシッププロジェクト（３ＧＰＰ）において、無線ＬＡＮ等で用いられている非ライセンス帯域でＬＴＥ（Ｌｏｎｇ  Ｔｅｒｍ  Ｅｖｏｌｕｔｉｏｎ）の通信を行うことが検討されている（非特許文献１参照）。また、従来のＬＴＥでは、通信速度の高速化などのために、キャリアアグリゲーション（ＣＡ）が用いられている。ＣＡでは、端末との無線通信を主導し、例えば無線リソース制御を行う１つのプライマリセル（ＰＣｅｌｌ）と、ＰＣｅｌｌによる制御に基づいて端末との無線通信を行う１つ以上のセカンダリセル（ＳＣｅｌｌ）とが、同時に端末と通信する。ここで、ＰＣｅｌｌ及びＳＣｅｌｌは、１つの基地局装置（ｅＮＢ）によって提供される場合もあり、それぞれ異なる基地局装置によって提供される場合もある。ＣＡでは、ＳＣｅｌｌの切り替えのため、又は、ＳＣｅｌｌの追加のために、定期的にＳＣｅｌｌ候補となる基地局装置からの無線信号を測定する（非特許文献２参照）。ＰＣｅｌｌである基地局装置は、この測定結果に応じて、ＳＣｅｌｌを切り替え、又は、追加することができる。
【先行技術文献】
【非特許文献】
【０００３】
【非特許文献１】３ＧＰＰ、「Ｓｔｕｄｙ  ｏｎ  Ｌｉｃｅｎｓｅｄ−Ａｓｓｉｓｔｅｄ  Ａｃｃｅｓｓ  ｕｓｉｎｇ  ＬＴＥ」、ＲＰ−１４１６６４、２０１４年９月
【非特許文献２】３ＧＰＰ、ＴＲ３６．１３３
【発明の概要】
【発明が解決しようとする課題】
【０００４】
従来、ＳＣｅｌｌは、ライセンス帯域の基地局装置によって形成されるため、その基地局装置が常に参照信号を送信することとなる。したがって、端末は、このようなライセンス帯域の基地局装置からの信号の無線品質を測定することができる。しかしながら、ＳＣｅｌｌを形成する基地局装置が、非ライセンス帯域を用いる場合、既存のシステムに対する影響を低減するため、参照信号を送信できない期間が不定期に生じうる。この結果、端末は、非ライセンス帯域を用いる基地局装置からの信号を測定することができない場合が生じえた。さらに、端末は、従来、６ミリ秒にわたって、基地局装置からの信号を測定するように構成されている。しかしながら、例えば日本では５ＧＨｚ帯の非ライセンス帯域では４ミリ秒を超える期間にわたって連続して信号を送信することが許可されていない。このため、端末は、６ミリ秒の測定期間のうち、少なくとも２ミリ秒の間信号が送信されていないことを以って、無線品質が良好でないと判断してしまう場合がありえた。
【０００５】
本発明は、上述の課題の少なくともいずれかに鑑みて、非ライセンス帯域において基地局装置が送信した参照信号を適切に測定するための技術を提供することを目的とする。
【課題を解決するための手段】
【０００６】
上記目的を達成するため、本発明に係る基地局装置は、他の基地局装置から、当該他の基地局装置によって送信される参照信号に関して、情報を取得する取得手段と、取得した前記情報を、前記基地局装置と接続している端末へ通知する通知手段と、を有し、前記端末は、通知された前記情報に基づいて、前記他の基地局装置が送信した参照信号の測定を制御する、ことを特徴とする。
【発明の効果】
【０００７】
本発明によれば、ＵＥが、非ライセンス帯域において基地局装置が送信した参照信号を適切に測定することが可能となる。
【図面の簡単な説明】
【０００８】
【図１】無線通信システムの構成例を示す図。
【図２】基地局装置のハードウェア構成例を示す図。
【図３】基地局装置の機能構成例を示す図。
【図４】ＰＤＣＣＨ（物理下りリンク制御チャネル）を用いて情報を通知する場合の情報通知手法を示す図。
【図５】ＰＤＳＣＨ（物理下りリンク共有チャネル）を用いて情報を通知する場合の情報通知手法を示す図。
【図６】ＳＩＢ（Ｓｙｓｔｅｍ  Ｉｎｆｏｒｍａｔｉｏｎ  Ｂｌｏｃｋ）を用いて情報を通知する場合の情報通知手法を示す図。
【図７】基地局装置が実行する処理の流れの例を示すフローチャート。
【発明を実施するための形態】
【０００９】
以下、添付図面を参照して本発明の実施の形態を詳細に説明する。
【００１０】
（無線通信システムの構成）
図１に、本実施形態に係る無線通信システムの構成例を示す。本無線通信システムは、例えば、１つのプライマリセル（ＰＣｅｌｌ）を提供するマスタ基地局装置（ｅＮＢ）と、１つ以上（本例では２つ）の、セカンダリセル（ＳＣｅｌｌ）を提供するセカンダリ基地局装置（ｅＮＢ）とを含む。ここで、本実施形態では、プライマリセルではライセンス帯域が用いられる。一方で、セカンダリセルでは、一般にはライセンス帯域が用いられてもよいが、ここでは、非ライセンス帯域における参照信号の測定に関する課題に着目するため、ライセンス帯域は用いられないものとする。また、ここでの「セル」は、例えば２０ＭＨｚの帯域幅のコンポーネントキャリアに対応し、プライマリセル及びセカンダリセルは、又は、複数のセカンダリセルは、１つの基地局装置によって提供されてもよい。また、プライマリセルとセカンダリセルとでは、互いに異なる帯域幅のコンポーネントキャリアに対応してもよい。さらに、複数のセカンダリセルのそれぞれのコンポーネントキャリアの帯域幅が互いに異なってもよい。
【００１１】
端末は、１つのマスタｅＮＢ及び１つ以上のセカンダリｅＮＢと、同時に接続を確立することができ、これらのｅＮＢとの間で、キャリアアグリゲーションを用いて高速通信することができる。端末は、セカンダリｅＮＢからの参照信号を測定して、その測定の結果をマスタｅＮＢへ通知する。なお、セカンダリｅＮＢは、マスタｅＮＢからの補助を受けて、端末との接続を確立して通信を行うものとする。
【００１２】
ここで、上述のように、セカンダリｅＮＢが非ライセンス帯域を用いている場合、参照信号が定期的に送信されない場合や、参照信号の送信期間が短い場合などが生じうる。このため、本実施形態では、端末と接続を確立しているｅＮＢが、端末に対して、接続候補のセカンダリｅＮＢによって送信される参照信号に関する情報を通知する。例えば、端末と接続中のｅＮＢは、接続候補のセカンダリｅＮＢによって送信される参照信号の送信終了時刻に関する情報を、端末に通知する。また、接続候補のセカンダリｅＮＢが参照信号の送信を開始する前にこの情報を通知する場合には、その送信開始時刻の情報が端末に通知されてもよい。このとき、端末と接続中のｅＮＢは、接続候補のセカンダリｅＮＢが参照信号の送信を開始後に、送信終了時刻に関する情報を端末に通知し得る。また、このとき、端末と接続中のｅＮＢは、接続候補のセカンダリｅＮＢが実際に参照信号を送信したことを自身が観測してから、送信終了時刻に関する情報を端末に通知してもよい。
【００１３】
この場合、端末は、通知された送信終了時刻を超えて測定を継続しないように、測定を制御することができる。この結果、端末は、参照信号が送信されている期間においてのみ測定を行うこととなる。このため、参照信号が送信されていない期間において測定を継続することにより測定結果の無線品質の劣化が生じることが防がれる。
【００１４】
また、端末と接続中のｅＮＢは、接続候補のセカンダリｅＮＢが参照信号の送信を予定したにも関わらず、その参照信号の送信が行われなかった場合に、その送信が無効であることを示す情報を、端末へ通知してもよい。この場合、端末は、実際には参照信号が送信されていない期間において参照信号の測定を行うこととなるが、無効であることが示された参照信号に関しての測定結果を破棄又は無視するように、測定の制御を行うことができる。なお、端末は、測定結果の破棄又は無視に代えて、例えば、非常に小さい重み係数を乗じることによってその測定結果を利用するようにしてもよい。これにより、実際には送信されていない参照信号の測定結果を以って、本来接続するのに適したセカンダリｅＮＢが、接続先として選択されなくなることを防ぐことが可能となる。
【００１５】
なお、この場合、端末と接続中のｅＮＢは、接続候補のセカンダリｅＮＢが参照信号の送信を開始する前に、そのセカンダリｅＮＢによる参照信号の送信予定を、端末へ通知し得る。さらに、この場合、端末と接続中のｅＮＢは、接続候補のセカンダリｅＮＢによって送信される予定であった複数の参照信号に関して、そのいずれが実際には送信されなかったかを指定する情報を、端末に通知することができる。また、このとき、端末と接続中のｅＮＢは、複数の参照信号の送信予定をまとめて端末へ通知することができる。
【００１６】
ここで、端末と接続中のｅＮＢは、接続候補のセカンダリｅＮＢによって送信される参照信号の情報を、その接続候補のセカンダリｅＮＢから、基地局間通信によって取得し得る。なお、基地局間通信は、例えばそれらの基地局装置間を接続しているコアネットワーク（不図示）を介して、又は基地局装置間を直結する回線を介して、行われうる。また、ここでの基地局間通信は、ベースバンドユニット（ＢＢＵ）間の通信を含む概念であり、ＢＢＵ間を直結する回線を介して行われてもよいし、例えば１つのＢＢＵ内での内部処理に係る信号のやり取りも含まれうる。なお、マスタｅＮＢとセカンダリｅＮＢとは、隣接する、又は互いに重畳する領域をカバーするセルを提供するものであり、マスタｅＮＢは、従来の隣接ｅＮＢ間の通信によって、参照信号に関する情報を取得することができる。
【００１７】
このとき、端末と接続中のｅＮＢは、例えば物理下りリンク制御チャネル（ＰＤＣＣＨ）などの制御チャネル、物理下りリンク共有チャネル（ＰＤＳＣＨ）などのデータチャネル、又はブロードキャストチャネルを、端末への情報の通知に使用できる。ブロードキャストチャネルでは、例えばＳＩＢ（Ｓｙｓｔｅｍ  Ｉｎｆｏｒｍａｔｉｏｎ  Ｂｌｏｃｋ）により、情報を通知し得る。ここで、情報を通知するｅＮＢは、マスタｅＮＢとセカンダリｅＮＢとのいずれであってもよい。また、場合によっては、参照信号の送信予定について第１のｅＮＢが通知し、参照信号が実際には送信されなかったことを第２のｅＮＢが通知するなど、複数の情報を２つ以上のｅＮＢが分担して送信してもよい。また、同一の情報が複数のｅＮＢによって送信されてもよい。
【００１８】
以上のようなｅＮＢの構成と処理の流れについて、以下、図面を参照しながら説明する。
【００１９】
（基地局装置のハードウェア構成）
図２は、基地局装置（ｅＮＢ）のハードウェア構成例を示す図である。基地局装置は、一例において、図２に示すようなハードウェア構成を有し、例えば、ＣＰＵ２０１、ＲＯＭ２０２、ＲＡＭ２０３、外部記憶装置２０４、及び通信装置２０５を有する。基地局装置では、例えばＲＯＭ２０２、ＲＡＭ２０３及び外部記憶装置２０４のいずれかに記録された、基地局装置の各機能を実現するためのプログラムがＣＰＵ２０１により実行される。そして、基地局装置は、例えばＣＰＵ２０１により通信装置２０５を制御して、他の基地局装置との間又は端末との間の通信を行う。なお、図２では、基地局装置は、１つの通信装置２０５を有するとしているが、例えば、基地局装置は、基地局装置間の通信用の通信装置及び端末との間の通信装置を有してもよい。
【００２０】
なお、基地局装置は、全機能を実行する専用のハードウェアを備えてもよいし、一部の機能がハードウェアで実現され、プログラムを動作させるコンピュータによってその他の部分が実現されてもよい。また、基地局装置の全機能が、コンピュータとプログラムにより実現されてもよい。
【００２１】
（基地局装置の機能構成）
図３は、基地局装置（ｅＮＢ）の機能構成例を示す図である。基地局装置は、その機能構成として、例えば、有線通信部３０１、無線通信部３０２、情報取得部３０３、及び情報通知部３０４を有する。
【００２２】
有線通信部３０１は、例えばコアネットワークなどを介して基地局間通信を行うための通信インタフェースである。基地局装置は、有線通信部３０１を通じて、他の基地局装置から情報を取得し、又は他の基地局装置へ情報を提供することができる。なお、基地局間通信では、無線インタフェースが用いられてもよい。この場合は、有線通信部３０１は省略されてもよい。また、基地局間通信で用いられる接続経路は、有線区間又は無線区間のみで構成されてもよいし、有線区間と無線区間との組み合わせによって構成されてもよい。いずれの場合であっても、基地局装置は、基地局間通信で用いられる接続経路のうち、最初の１区間分の通信を行うための通信インタフェースを有する。
【００２３】
無線通信部３０２は、例えば端末と接続して通信するための通信インタフェースである。基地局装置は、無線通信部３０２を通じて、端末との間に通信リンクを確立し、下りリンクにおいて端末へ無線信号を送信し、上りリンクにおいて端末から送信された無線信号を受信する。なお、基地局装置が、無線によって基地局間通信を行う場合、無線通信部３０２は、基地局間通信のための通信インタフェースとしても機能し得る。
【００２４】
情報取得部３０３は、別のｅＮＢから、その別のｅＮＢによって送信される参照信号に関する情報を取得する。また、情報取得部３０３は、例えば基地局装置自身の内部に、非ライセンス帯域での通信を行う別の基地局機能が存在する場合は、その別の基地局機能から情報を取得し得る。この場合、例えば有線通信部３０１は、基地局装置内の内部バスにアクセスするためのインタフェースでありうる。以下では、情報取得部３０３が、別のｅＮＢから情報を取得する場合について説明する。
【００２５】
一例では、情報取得部３０３は、別のｅＮＢによって非ライセンス帯域で送信される参照信号の送信終了時刻に関する情報を取得する。なお、ここでの「送信終了時刻」の情報は、絶対的な時刻の情報であってもよいし、送信開始から送信が終了するまでの時間長（例えば４ミリ秒、など）の情報であってもよい。なお、絶対的な時刻の情報が用いられる場合は、ｅＮＢ間で時刻同期が確立していることが前提となる。
【００２６】
また別の一例では、情報取得部３０３は、別のｅＮＢによる非ライセンス帯域での送信が予定されていた参照信号のうち、実際には送信されなかったものを指定する情報を取得する。この実際には送信されなかった参照信号を指定する情報は、例えば、送信予定の参照信号に対してそれぞれ通し番号を付しておいた場合のその通し番号を指定する情報でありうる。この通し番号による、実際には送信されなかった参照信号の指定は、複数の参照信号に関する情報をまとめて取得する場合に特に有益でありうる。すなわち、情報取得部３０３は、例えば複数個の参照信号の送信予定に対して、１つの情報を取得することによって、その複数個の参照信号の送信予定のうち、いずれにおいて実際に参照信号が送信されなかったかを特定することが可能となる。
【００２７】
なお、情報取得部３０３は、参照信号の送信予定のそれぞれに対して、参照信号が実際に送信されたか否かを示す（例えば１ビットの）情報を都度取得するようにしてもよい。すなわち、情報取得部３０３は、参照信号が実際に送信されたか否かによらず、その参照信号に関する情報を取得するようにしてもよい。
【００２８】
また、情報取得部３０３は、別のｅＮＢから、参照信号が送信される予定時刻の直後に参照信号が実際に送信されたか否かを示す情報を取得しうる。この場合、基地局装置は、情報を取得した際に、その情報がどの参照信号の送信予定に関するかが明示されていなくても、その情報を取得した時刻の直前の送信予定に関して、参照信号の送信が実際に行われたかの情報であることを特定することが可能となる。
【００２９】
さらに、この場合、情報取得部３０３は、別のｅＮＢから、その別のｅＮＢによる参照信号の送信予定の情報を取得しうる。ここで、送信予定の情報は、例えば、送信開始時刻の情報でありうる。また、送信予定の情報は、例えば参照信号の送信継続時間が既知の場合、送信終了時刻の情報であってもよい。例えば、送信継続時間が４ミリ秒の場合、送信終了時刻の４ミリ秒前から参照信号の送信が開始されることが分かるからである。また、送信予定の情報は送信開始時刻と送信終了時刻の両方を含んでもよい。なお、情報取得部３０３は、この送信予定の情報を必ず取得しなければならないわけではない。例えば、別のｅＮＢが、周期的に参照信号を送信することを予定している場合には、参照信号の送信予定は不定期とはならないため、情報取得部３０３は、その送信予定を取得しないでも、いつ参照信号が送信される予定であるかを知ることができる。また、この場合、別のｅＮＢは、参照信号の送信周期ごとに、非ライセンス帯域が他のシステムによって使用されていないかなど、参照信号を送信できない状態にあるかを判定し、参照信号を送信可能である場合にのみ、参照信号を送信する。そして、別のｅＮＢは、少なくとも参照信号を送信できなかった場合には、そのことを示す情報を、近隣のｅＮＢへと通知する。
【００３０】
情報通知部３０４は、情報取得部３０３によって取得した情報を、無線通信部３０２を介して、端末へ通知する。このときの通知は、ＰＤＣＣＨなどの制御チャネル、ＰＤＳＣＨなどのデータチャネル、又はブロードキャストチャネルを用いて行うことができる。なお、ブロードキャストチャネルでは、例えばＳＩＢ（Ｓｙｓｔｅｍ  Ｉｎｆｏｒｍａｔｉｏｎ  Ｂｌｏｃｋ）により、情報を通知し得る。ここで、このときの情報の通知手法について説明する。
【００３１】
図４（Ａ）及び（Ｂ）に、ＰＤＣＣＨ（物理下りリンク制御チャネル）を用いて情報を通知する場合の情報通知手法の例を示す。ＰＤＣＣＨによって情報が通知されることにより、端末は、ＰＤＣＣＨのみを確認することにより、参照信号の情報を取得することが可能となる。
【００３２】
図４（Ａ）は、ＰＤＣＣＨにおいて、接続候補のセルにおいて送信される参照信号の送信終了時刻の情報を通知する手法を概略的に示している。本例では、接続候補のセルにおいて参照信号の送信が開始された後（例えば直後）に、接続中のセル（マスタｅＮＢとセカンダリｅＮＢとの少なくともいずれかが提供するセル）において、その参照信号の送信終了時刻に関する情報を含むＰＤＣＣＨが送信される。端末は、一例において、接続候補のセルにおける参照信号の送信終了時刻に関する情報を取得してから、その接続候補のセルにおいて送信されている参照信号の測定を、通知された送信終了時刻まで実行する。
【００３３】
図４（Ｂ）は、ＰＤＣＣＨにおいて、接続候補のセルにおける参照信号の送信の予定が通知され、その後、実際にその参照信号が送信されなかった場合に、参照信号が送信されなかったことが通知される場合の例を示している。なお、本例では、まず、接続候補のセルにおける参照信号の送信の予定が通知されるが、例えば参照信号が定期的に送信されることが予定されている場合には、参照信号の送信予定は通知されなくてもよい。本例では、予定されていた参照信号が実際には送信されなかった場合、接続候補のセルのｅＮＢから、参照信号の送信ができなかった旨が、接続中のセル（接続候補のセルの隣接セル）のｅＮＢへと通知される。すると、接続中のセル（マスタｅＮＢとセカンダリｅＮＢとの少なくともいずれか）は、予定された参照信号の送信が実際に行われなかったことを、ＰＤＣＣＨを通じて端末へ通知する。端末は、参照信号の送信予定に従って、実際には送信されていなくても、参照信号の測定を開始するが、予定された参照信号の送信が実際に行われなかったことの通知を受信すると、その測定の結果を破棄又は無視する。なお、図４（Ｂ）では、端末は、予定された参照信号の送信が実際に行われなかったことの通知を受信後も測定を継続しているが、通知の受信後、すぐに測定を中止するようにしてもよい。この場合であっても、端末は、中止するまでに得られた測定結果は破棄又は無視する。また、図４（Ｂ）の例では、送信されなかった参照信号の送信予定時刻の直後のＰＤＣＣＨによって、参照信号が送信されなかったことが通知されているが、これより後の時刻のＰＤＣＣＨによってこの通知が行われてもよい。
【００３４】
次に、情報の通知に、ＰＤＳＣＨ（物理下りリンク共有チャネル）を用いる場合の例について説明する。ＰＤＳＣＨが用いられることにより、通知すべき情報を、その情報量が増えたとしても、確実に端末に通知することができる。図５（Ａ）及び（Ｂ）は、ＰＤＳＣＨを用いて情報を通知する場合の情報通知手法を示す図である。ＰＤＣＣＨは、ＰＤＳＣＨ内のリソースブロックを各端末に対して割り当てる情報を含み、端末は、自身に割り当てられたリソースブロックから、接続候補のセルにおける参照信号に関する情報を取得する。そして、図５（Ａ）の場合、接続候補のセルにおいて参照信号の送信が開始された後に、接続中のセルにおいて、その参照信号の送信終了時刻に関する情報を含むＰＤＳＣＨが送信される。また、図５（Ｂ）の場合、予定されていた参照信号が実際には送信されなかった場合、接続中のセルは、予定された参照信号の送信が実際に行われなかったことを、ＰＤＳＣＨを通じて端末へ通知する。なお、図５（Ｂ）では、端末は、予定された参照信号の送信が実際に行われなかったことの通知を受信後も測定を継続しているが、通知の受信後、すぐに測定を中止するようにしてもよい。また、送信されなかった参照信号の送信予定時刻の直後のＰＤＳＣＨによって、参照信号が送信されなかったことが通知されているが、これより後の時刻のＰＤＳＣＨによってこの通知が行われてもよい。なお、端末が取得する情報と、その後の端末の処理については、図４（Ａ）及び（Ｂ）の場合の例と同様であるため、説明を省略する。
【００３５】
次に、情報の通知に、ＳＩＢ（Ｓｙｓｔｅｍ  Ｉｎｆｏｒｍａｔｉｏｎ  Ｂｌｏｃｋ）を用いる場合の例について説明する。図６（Ａ）及び（Ｂ）は、ブロードキャストチャネルのうちの、ＳＩＢを用いて情報を通知する場合の情報通知手法を示す図である。ＳＩＢは、８０ミリ秒、１６０ミリ秒、２４０ミリ秒、３２０ミリ秒のいずれかごとに送信される。図６（Ａ）の場合、接続候補のセルにおいて参照信号の送信が開始された後に、接続中のセルにおいて、その参照信号の送信終了時刻に関する情報を含むＳＩＢが送信される。また、図６（Ｂ）の場合、予定されていた参照信号が実際には送信されなかった場合、接続中のセルは、予定された参照信号の送信が実際に行われなかったことを、ＳＩＢを通じて端末へ通知する。なお、図６（Ｂ）では、端末は、予定された参照信号の送信が実際に行われなかったことの通知を受信後も測定を継続しているが、通知の受信後、すぐに測定を中止するようにしてもよい。ここで、予定された参照信号の送信が実際に行われなかった場合、ＳＩＢの送信間隔を短縮するようにしてもよい。すなわち、例えば１６０ミリ秒ごとにＳＩＢが送信されていた場合に、予定された参照信号の送信が実際に行われなかった場合、ＳＩＢの送信間隔を８０ミリ秒まで短縮してもよい。なお、ＳＩＢの送信間隔は大きい値を有するため、複数の参照信号の送信予定に対して、実際の参照信号が送信されたか否かの情報が、１回で通知されてもよい。なお、端末が取得する情報と、その後の端末の処理については、図４（Ａ）及び（Ｂ）の場合の例と同様であるため、説明を省略する。
【００３６】
なお、上述の各通知は、複数回行われてもよく、その場合に、異なるｅＮＢから通知が行われるようにしてもよい。例えば１回目の通知を行うｅＮＢと２回目の通知を行うｅＮＢとが異なってもよい。特に、例えば、１回目の通知が非ライセンス帯域を用いるセカンダリｅＮＢによって行われる場合、そのセカンダリｅＮＢは、通知のための信号を送信できない場合が生じる。この場合、２回目の通知を、マスタｅＮＢによって行うようにしてもよい。
【００３７】
端末は、この通知により、接続していない別のｅＮＢが送信する参照信号の送信終了時刻や、実際には参照信号が送信されなかったことなどの情報を取得し、参照信号の測定処理を制御する。
【００３８】
（基地局装置の動作）
図７に、本実施形態に係る基地局装置の処理の流れの例を示す。なお、本処理例は、接続候補のセカンダリｅＮＢによって送信される参照信号に関する情報を送信する基地局装置における処理の流れの例であるため、情報通知対象の端末と接続中であれば、マスタｅＮＢとセカンダリｅＮＢとのいずれが実行してもよい。なお、非ライセンス帯域を用いるセカンダリｅＮＢが端末に対する情報の通知を行う場合、その通知の前に、他のシステムによってその非ライセンス帯域が用いられていないことを確認する処理（Ｌｉｓｔｅｎ  Ｂｅｆｏｒｅ  Ｔａｌｋ）が行われる。すなわち、非ライセンス帯域を用いるセカンダリｅＮＢは、他のシステムによってその非ライセンス帯域が用いられていない場合に、端末に対して、情報を通知することができる。
【００３９】
まず、基地局装置（端末と接続中のマスタｅＮＢ又はセカンダリｅＮＢ）は、接続候補のセカンダリｅＮＢから、そのセカンダリｅＮＢによって送信される参照信号に関する情報を取得する（Ｓ７０１）。ここで、この情報は、例えば、参照信号の送信終了時刻に関する情報、又は、参照信号が、予定されていたにも関わらず、実際には送信されなかったことを示す情報でありうる。
【００４０】
その後、基地局装置は、その取得した情報を、例えば無線信号によって端末へ通知する（Ｓ７０２）。端末は、この通知により、接続していない別のｅＮＢが送信する参照信号の送信終了時刻や、実際には参照信号が送信されなかったことなどの情報を取得し、参照信号の測定処理を制御する。
【００４１】
以上の処理により、例えば参照信号の送信期間が６ミリ秒未満（例えば４ミリ秒）である場合に、参照信号が送信されていない期間においても測定を継続することがなくなり、端末が無線品質を過剰に低く評価することを防ぐことができる。同様に、端末が、参照信号の送信が予定されていたにも関わらず実際には参照信号が送信されなかった期間において参照信号を測定した結果、無線品質を過剰に低く評価することを防ぐことが可能となる。
【００４２】
なお、上述の説明では特に限定していないが、端末は、例えば１つのマスタｅＮＢ及び２つ以上のセカンダリｅＮＢと同時に接続することができる。すなわち、上述の手法によって、端末が参照信号の測定を行い、マスタｅＮＢは、その測定結果に応じて、さらにセカンダリｅＮＢを追加してもよい。このとき、追加対象のセカンダリｅＮＢの参照信号に関する情報は、１つのマスタｅＮＢと２つ以上のセカンダリｅＮＢとの少なくともいずれかが、端末へ通知すれば足りる。すなわち、例えば１つのセカンダリｅＮＢが、追加対象のセカンダリｅＮＢの参照信号に関する情報を端末へ通知する場合、マスタｅＮＢ及び他のセカンダリｅＮＢは、いずれもその情報を端末へ通知しなくてもよい。
【図１】
2017034407.tif 000003
【図２】
2017034407.tif 000004
【図３】
2017034407.tif 000005
【図４】
2017034407.tif 000006
【図５】
2017034407.tif 000007
【図６】
2017034407.tif 000008
【図７】
2017034407.tif 000009